(57)【要約】【課題】充電可能な携帯機器の使用範囲が拡大されると共に、充電時間を自由に選択できることにより、使用者にコスト面での利点を与えるロッカー装置を提供する。【解決手段】本発明に係るロッカー装置１は、複数の収納ボックス１１と、携帯機器９を充電するために前記複数の収納ボックス１１の各収納ボックス１１内に設けられた電源コンセント８と、前記携帯機器９を充電するための金銭を投入する金銭投入器２とを備え、前記金銭投入器２に投入された金銭の額に応じた時間だけ前記携帯機器９を充電するように構成されていることを特徴とする。【選択図】  図１
2005004338.tif 000002
【特許請求の範囲】
【請求項１】
複数の収納ボックスと、携帯機器を充電するために前記複数の収納ボックスの各収納ボックス内に設けられた電源コンセントと、前記携帯機器を充電するための金銭を投入する金銭投入器とを備え、前記金銭投入器に投入された金銭の額に応じた時間だけ前記携帯機器を充電するように構成されていることを特徴とするロッカー装置。
【請求項２】
携帯機器への充電時間を設定するための動作時間設定器を更に備え、前記動作時間設定器は、金銭投入器に投入された金銭の額に応じた時間の範囲内で充電時間を設定可能とされており、前記動作時間設定器で設定された充電時間だけ前記携帯機器を充電するように構成されていることを特徴とするロッカー装置。
【発明の詳細な説明】
【０００１】
【発明の属する技術分野】
本発明は、荷物を預け入れるためのロッカー装置に関し、特に、携帯電話機、ノート型パソコン、デジタルカメラ、携帯型ＣＤプレイヤ等の携帯機器を単に預け入れるだけでなく充電可能としたロッカー装置に関する。
【０００２】
【従来の技術】
従来、携帯機器の中でも特に携帯電話機の充電を可能としたロッカー装置として、ロッカー装置を構成する各収納ボックス内に、携帯電話機の所定の機種に適合する携帯電話機充電用の接続口を設けたものが知られている（例えば、特許文献１参照）。
【０００３】
より具体的に説明すれば、上記特許文献１に記載のロッカー装置は、複数の収納ボックスを有するボックス集合体を構成する収納ボックス群が、携帯電話機の機種毎に区分けされ、各々にその機種に適合する接続口が設けられた構成とされている。
【０００４】
また、携帯電話機充電用の接続口からの充電は、金銭の払込を含むあらかじめ決められた施錠操作手順が完結している場合には充電が開始されたのち永続的に（解錠するまで）行われるのに対して、完結していない場合には充電が開始されたのちわずかの時間の経過（タイマーで管理）と共に強制的に終了するように構成されている。
【０００５】
【特許文献１】
登録実用新案第３０４８３２１号公報
【０００６】
【発明が解決しようとする課題】
しかしながら、上記特許文献１に開示された従来のロッカー装置には、以下のような問題がある。
【０００７】
すなわち、従来のロッカー装置において充電可能な携帯機器は携帯電話機のみであり、ノート型パソコン、デジタルカメラ、携帯型ＣＤプレイヤ等の他の充電可能携帯機器を充電することができないため、汎用性に欠けるという問題がある。
【０００８】
また、従来のロッカー装置は、施錠操作手順が完結している場合において、充電が開始されたのち解錠するまで一律に充電が行われる。ここで、ロッカー装置の使用料金は、１日単位の預入れ時間に応じて決定されるのが一般的である。換言すれば、個々の携帯機器によって必要とされる充電量（充電時間）は異なるにも拘わらず、当該必要な充電量（充電時間）の大小に関係なく、ロッカー装置の使用者は預入れ時間に応じた一定の使用料金を支払う必要がある。従って、僅かの充電を行えば良いような使用者にとっては、割高の使用となることは否めないという問題がある。
【０００９】
本発明は、斯かる従来技術の問題を解決するために成されたものであり、充電可能な携帯機器の範囲が拡大されると共に、充電時間を自由に選択できることにより、使用者にコスト面での利点を与えるロッカー装置を提供することを課題とする。
【００１０】
【課題を解決するための手段】
前記課題を解決するべく、本発明は、複数の収納ボックスと、携帯機器を充電するために前記複数の収納ボックスの各収納ボックス内に設けられた電源コンセントと、前記携帯機器を充電するための金銭を投入する金銭投入器とを備え、前記金銭投入器に投入された金銭の額に応じた時間だけ前記携帯機器を充電するように構成されていることを特徴とするロッカー装置を提供するものである。
【００１１】
斯かる発明によれば、携帯機器を充電するために各収納ボックス内に汎用性を有する電源コンセントが設けられているため、携帯電話機に限定されず、充電可能な携帯機器の範囲が拡大されるという利点を有する。なお、携帯機器の充電に際しては、使用者が持参した（或いはロッカー装置の管理者が貸し出すように運用することも可能である）各携帯機器固有の充電端子に携帯機器を接続すると共に、当該充電端子のプラグを電源コンセントに差し込めば良い。また、本発明によれば、金銭投入器に投入された金銭の額に応じた時間だけ携帯機器を充電するように構成されているため、必要な充電量（充電時間）を使用者自ら判断し、当該充電量（充電時間）に応じた金銭を投入すれば足り、不要なコストを削減できるという利点を有する。
【００１２】
なお、本発明に係るロッカー装置は、充電時間と預入れ時間とを同一にする形態に限るものではなく、充電時間は上記のように投入された金銭の額に応じた必要な分だけに制限する一方で、預入れ時間は充電時間よりも長く設定し得る構成を採用することも可能である。この場合には、例えば、充電時間を決定するための金銭の投入器と、預入れ時間を決定するための金銭の投入器とを別個に設ける構成を採用し、各投入器にそれぞれ投入された金銭の額に応じて、充電時間及び預入れ時間を決定すれば良い。
【００１３】
好ましくは、前記携帯機器への充電時間を設定するための動作時間設定器を更に備え、前記動作時間設定器は、前記金銭投入器に投入された金銭の額に応じた時間の範囲内で充電時間を設定可能とされており、前記動作時間設定器で設定された充電時間だけ前記携帯機器を充電するように構成される。
【００１４】
斯かる発明によれば、金銭投入器に投入された金銭の額に応じた時間の範囲内で充電時間を自由に設定可能であるため、各使用者が必要としている充電時間を自らの意思で確実に設定できるという利点を有する。なお、金銭投入器に投入された金銭の額と、設定した充電時間に応じた使用料金との差額を払い戻す構成を採用すれば、間違って必要以上の金銭を投入してしまったような場合にも使用者の不利益とはならず好都合である。
【００１５】
【発明の実施の形態】
以下、添付図面を参照しつつ、本発明の実施形態について説明する。
【００１６】
図１は、本発明の一実施形態に係るロッカー装置の概略構成を示す斜視図である。図１に示すように、本実施形態に係るロッカー装置１は、複数の収納ボックス１１と、各収納ボックス１１の前面開口を個別に開閉する扉１２と、扉１２を閉じた状態で施錠可能な電気錠１３とを備えている。また、ロッカー装置１は、収納ボックス１１の右側端部に操作パネル１０を備えている。操作パネル１０には、携帯機器を充電するための金銭（本実施形態では硬貨）を投入するコイン投入器２と、携帯機器への充電時間を設定するための動作時間設定器４と、充電動作を開始させるためのスイッチ７とが設けられている。なお、本実施形態における動作時間設定器４及びスイッチ７は、テンキーや液晶表示装置等から構成され、施錠すべき収納ボックス１１の番号を指定したり暗証番号を入力したりする目的にも供される押釦操作部として、操作パネル１０の同一箇所に設けられている。
【００１７】
図２は、本実施形態に係るロッカー装置の収納ボックス内に携帯機器が収納された状態を概略的に示す縦断面図である。図２に示すように、各収納ボックス１１の後部壁１４には、携帯機器９を充電するための電源コンセント８が設けられている。より具体的には、携帯機器９を接続する充電端子１５のプラグを差し込むための電源コンセント８が設けられている。
【００１８】
本実施形態に係るロッカー装置１は、コイン投入器２に投入された金銭の額に応じた時間だけ携帯機器９を充電するように構成されている。以下、斯かる充電動作について、図３を適宜参照しつつ、より具体的に説明する。
【００１９】
図３は、本実施形態に係るロッカー装置における充電動作を説明するためのブロック図である。携帯機器９の充電を行うに際し、まず最初に、使用者は、充電端子１５に携帯機器９を接続すると共に、当該充電端子１５のプラグを電源コンセント８に差し込む（図２参照）。次に、操作パネル１０の前述した押釦操作部によって施錠すべき（すなわち、充電動作を行うべき）収納ボックス１１の使用番号を指定等した後、図３に示すように、コイン投入器２に硬貨を投入する。投入された硬貨の額は、操作パネル１０の背面側に配置された金額検出器３によって検出される。
【００２０】
次に、使用者は、動作時間設定器４によって、コイン投入器２に投入された硬貨の金額に応じた時間の範囲内で充電時間を設定する。例えば、投入した金額が５０円の場合は１時間、７０円の場合は１．５時間の如く充電時間を設定する。なお、使用者が理解し易いように、操作パネル１０の押釦操作部の液晶表示装置等は、投入した金額と設定可能な充電時間（上限値）との関係を表示するように構成するのが好ましい。また、コイン投入器２に投入された硬貨の金額と、設定した充電時間に応じた使用料金との差額を払い戻す構成を採用するのが、間違って必要以上の金銭を投入してしまったような場合にも使用者の不利益とはならない点から好ましい。
【００２１】
次に、使用者がスイッチ７を押すことにより、電気錠１３を作動させて扉１２を施錠すると共に、タイマー６が作動し、前述したように動作時間設定器４によって設定した充電時間だけ、電源５からの充電電流が電源コンセント８、充電端子１５を通じて携帯機器９に供給される。本実施形態では、充電時間と預入れ時間（施錠時間）とが同一とされており、仮に設定した充電時間を超えて携帯機器９を預入れた場合には、追加料金をコイン投入器２に投入しなければ解錠できないように構成されている。なお、タイマー６や電源５は、各収納ボックス１１の後部壁１４の背面等、ロッカー装置１の所定箇所に適宜配設される。
【００２２】
本実施形態に係るロッカー装置１によれば、携帯機器９を充電するために各収納ボックス１１内に汎用性を有する電源コンセント８が設けられているため、携帯電話機に限定されず、充電可能な携帯機器の範囲が拡大されるという利点を有する。また、本実施形態に係るロッカー装置１によれば、コイン投入器２に投入された金額に応じた時間だけ携帯機器９を充電するように構成されているため、必要な充電量（充電時間）を使用者自ら判断し、当該充電量（充電時間）に応じた金銭を投入すれば足り、不要なコストを削減できるという利点を有する。
【００２３】
なお、本実施形態では、充電時間と預入れ時間とを同一にする形態について説明したが、本発明はこれに限るものではなく、充電時間は投入された金額に応じた必要な分だけに制限する一方で、預入れ時間は充電時間よりも長く設定し得る構成を採用することも可能である。この場合には、例えば、充電時間を決定するためのコイン投入器２とは別個に、預入れ時間を決定するための金銭の投入器を設け、各投入器にそれぞれ投入された金銭の額に応じて、充電時間及び預入れ時間を決定すれば良い。
【００２４】
また、本実施形態では、動作時間設定器４によって充電時間を設定する形態について説明したが、本発明はこれに限るものではなく、金額検出器３によって検出した金額に応じた時間をそのままタイマー６の作動時間として設定する構成を採用することも可能である。
【００２５】
【発明の効果】
以上説明したように、本発明によれば、携帯機器を充電するために各収納ボックス内に汎用性を有する電源コンセントが設けられているため、携帯電話機に限定されず、充電可能な携帯機器の範囲が拡大されるという利点を有すると共に、金銭投入器に投入された金銭の額に応じた時間だけ携帯機器を充電するように構成されているため、必要な充電量（充電時間）を使用者自ら判断し、当該充電量（充電時間）に応じた金銭を投入すれば足り、不要なコストを削減できるという利点をも有する。
【図面の簡単な説明】
【図１】本発明の一実施形態に係るロッカー装置の概略構成を示す斜視図
【図２】本発明の一実施形態に係るロッカー装置の収納ボックス内に携帯機器が収納された状態を概略的に示す縦断面図
【図３】本発明の一実施形態に係るロッカー装置における充電動作を説明するためのブロック図
【符号の説明】
１  ロッカー装置
２  金銭投入器（コイン投入器）
４  動作時間設定器
６  タイマー
８  電源コンセント
９  携帯機器
１１  収納ボックス
【図１】
2005004338.tif 000003
【図２】
2005004338.tif 000004
【図３】
2005004338.tif 000005